(57)【要約】【課題】第１の映像信号に基づくメイン画面および割込み映像信号に基づく割込み画面の視認性を損ねることなく、メイン画面に対し、ユーザーが指定したウィンドウ単位の割込み画面を割り込み表示させることができる表示装置等を提供する。【解決手段】複数の映像ソース端子Ｔと、複数の映像ソース端子Ｔが受信する映像信号の中から、少なくとも１の映像信号を選択する映像信号選択部１２と、映像信号選択部１２にて選択された第１の映像信号に対し、ウィンドウ単位の割込み映像信号を割り込ませるための割込み要求を監視する割込み信号監視部１３と、割込み要求を受信した場合、第１の映像信号と割込み映像信号とを合成して合成映像信号を生成する映像信号処理部１４と、映像信号処理部１４にて生成された合成映像信号に基づいて映像を表示する投写光学部２０と、を備えたものである。【選択図】図１
2010220144.tif 000002
【特許請求の範囲】
【請求項１】
複数の映像ソース端子と、
前記複数の映像ソース端子が受信する映像信号の中から、少なくとも１の映像信号を選択する映像信号選択部と、
前記映像信号選択部にて選択された第１の映像信号に対し、ウィンドウ単位の割込み映像信号を割り込ませるための割込み要求を監視する割込み要求監視部と、
前記割込み要求監視部が前記割込み要求を受信した場合、前記第１の映像信号と前記割込み映像信号とを合成して合成映像信号を生成する映像信号処理部と、
前記映像信号処理部にて生成された前記合成映像信号に基づいて映像を表示する表示部と、を備えたことを特徴とする表示装置。
【請求項２】
前記第１の映像信号を記憶する映像信号記憶部をさらに備え、
前記映像信号処理部は、前記割込み信号監視部が前記割込み要求を受信した場合、前記映像信号記憶部に記憶した前記第１の映像信号と前記割込み映像信号とを合成することを特徴とする請求項１に記載の表示装置。
【請求項３】
前記映像信号選択部は、複数の前記映像信号を同時に選択できることを特徴とする請求項１に記載の表示装置。
【請求項４】
前記割込み映像信号には、当該割込み映像信号の表示位置、表示サイズおよび不透明度のうち、少なくとも１の情報を指定するための付加データが付加されており、
前記映像信号処理部は、前記付加データに基づいて、前記合成映像信号を生成することを特徴とする請求項１ないし３のいずれか１項に記載の表示装置。
【請求項５】
前記割込み映像信号を供給する映像供給装置は、前記割り込み映像信号を表示可能なディスプレーを有しており、
前記表示部にて表示される前記割り込み映像信号の表示位置および表示サイズは、前記映像供給装置のディスプレー上における前記割り込み映像信号の表示位置および表示サイズに対応していることを特徴とする請求項４に記載の表示装置。
【請求項６】
前記割込み要求信号の受信後、前記映像供給装置に、割込み許可を示す許可信号を送信する許可信号送信部をさらに備えたことを特徴とする請求項５に記載の表示装置。
【請求項７】
請求項１ないし６のいずれか１項に記載の表示装置における各部を備え、
前記表示部は、前記映像をスクリーン上に投写表示するための投写光学部に相当することを特徴とするプロジェクター。
【請求項８】
請求項１ないし６のいずれか１項に記載の表示装置と、
前記第１の映像信号および前記割込み映像信号をそれぞれ供給する映像供給装置と、から成ることを特徴とする表示システム。
【請求項９】
表示装置が、
第１の映像信号を受信するステップと、
前記第１の映像信号に対し、ウィンドウ単位の割込み映像信号を割り込ませるための割込み要求を監視するステップと、
前記割込み要求を受信した場合、前記第１の映像信号と前記割込み映像信号とを合成して合成映像信号を生成するステップと、
前記合成映像信号に基づいて映像を表示するステップと、を実行することを特徴とする割込み表示方法。
【発明の詳細な説明】
【技術分野】
【０００１】
複数の映像信号を同時に表示することができる表示装置、プロジェクター、表示システムおよび割込み表示方法。
【背景技術】
【０００２】
従来、複数の映像信号を同時に表示することができる表示装置として、主画面内または主画面外に複数の子画面を表示するテレビが知られている（例えば、特許文献１参照）。また、近年、デジタル放送の普及に伴う多チャンネル化に対応して、番組選局を容易にすべく、チャンネル数分の分割画面を一覧表示し、リモコンにより所望のチャンネルをダイレクト選択できる技術も知られている（例えば、特許文献２参照）。
【先行技術文献】
【特許文献】
【０００３】
【特許文献１】特開平２−９６４８６号公報
【特許文献２】特開２００６−２４６０１９号公報
【発明の概要】
【発明が解決しようとする課題】
【０００４】
ところで、表示装置の一種として、スクリーン上に映像を拡大投写するプロジェクターが知られている。プロジェクターは、プレゼンテーションや文教の現場で用いられることが多く、上記の従来技術のように、複数の分割画面を同時に表示させる方法は、各画面が小さく見づらくなってしまうため、あまり利用価値がない。むしろ、プロジェクターの場合は、現在表示中の画面を小型化することなく、他の画面を割り込ませて表示するといった使い方が望ましいと考えられる。例えば、プレゼンテーション中に、そのプレゼンテーション用の画面内または画面外に、議事録や補足資料を示した別の画面を表示できると便利である。但し、プレゼンテーション用の画面と別の画面とが同サイズであったり、プレゼンテーション用の画面よりも別の画面の方が大きかったりする場合は、プレゼンテーション用の画面の画面が別の画面に覆われて見えなくなってしまうため、メインで表示するメイン画面の一部に、メイン画面よりも小さな割込み画面を割り込ませることが望ましい。しかも、単に割込み画面を縮小させると、割込み画面の文字が読みづらくなるなどの問題があるため、縮小させないで表示できることが望ましい。
【０００５】
一方、あるコンピューターから出力された第１の映像信号に基づくメイン画面に対し、別のコンピューターから出力された割込み映像信号に基づく割込み画面を表示させたい場合、ユーザーが指定した画面（領域）のみを割り込ませたいと言うニーズがある。例えば、ディスプレー上で複数の画面を表示しているとき、その中の１つの画面のみを割込み画面として表示させたい場合が考えられる。ところが、このようなニーズに応えられる表示装置は未だ存在しない。
【０００６】
本発明は、上記の問題点に鑑み、第１の映像信号に基づくメイン画面および割込み映像信号に基づく割込み画面の視認性を損ねることなく、メイン画面に対し、ユーザーが指定したウィンドウ単位の割込み画面を割り込み表示させることができる表示装置、プロジェクター、表示システムおよび割込み表示方法を提供することを課題とする。
【課題を解決するための手段】
【０００７】
本発明の表示装置は、複数の映像ソース端子と、複数の映像ソース端子が受信する映像信号の中から、少なくとも１の映像信号を選択する映像信号選択部と、映像信号選択部にて選択された第１の映像信号に対し、ウィンドウ単位の割込み映像信号を割り込ませるための割込み要求を監視する割込み要求監視部と、割込み要求監視部が割込み要求を受信した場合、第１の映像信号と割込み映像信号とを合成して合成映像信号を生成する映像信号処理部と、映像信号処理部にて生成された合成映像信号に基づいて映像を表示する表示部と、を備えたことを特徴とする。
【０００８】
本発明の割込み表示方法は、表示装置が、第１の映像信号を受信するステップと、第１の映像信号に対し、ウィンドウ単位の割込み映像信号を割り込ませるための割込み要求を監視するステップと、割込み要求を受信した場合、第１の映像信号と割込み映像信号とを合成して合成映像信号を生成するステップと、合成映像信号に基づいて映像を表示するステップと、を実行することを特徴とする。
【０００９】
これらの構成によれば、第１の映像信号と、ウィンドウ単位で指定された割込み映像信号とを合成した合成映像信号を生成し、これを表示するため、割込み画面を縮小することなく割込み表示させることができる。また、割込み映像信号は、ウィンドウ単位で指定できるため、割り込み画面が、第１の映像信号に基づくメイン画面より大きくなることは考え難く、メイン画面が割り込み画面に覆われて見えなくなってしまうことがない。このように、両画面の視認性を損ねることなく、割り込み表示を実現することができる。さらに、割込み映像信号は、ウィンドウ単位で指定できるため、割込み映像信号を供給する映像供給装置側では、そのディスプレー上に複数の画面を表示している状態でも、他の画面を閉じることなく、ユーザーが所望する画面のみを割り込ませることができる。
【００１０】
上記に記載の表示装置において、第１の映像信号を記憶する映像信号記憶部をさらに備え、映像信号処理部は、割込み信号監視部が割込み要求を受信した場合、映像信号記憶部に記憶した第１の映像信号と割込み映像信号とを合成することが好ましい。
【００１１】
この構成によれば、映像信号選択部が、１の映像信号しか選択できない場合でも、割込み要求の受信に伴って、映像信号処理部により第１の映像信号（静止画）を映像信号記憶部に記憶しておき、映像信号選択部により割込み映像信号を選択することで、記憶しておいた第１の映像信号に対し、割込み映像信号を合成することができる。
【００１２】
上記に記載の表示装置において、映像信号選択部は、複数の映像信号を同時に選択できることが好ましい。
【００１３】
この構成によれば、複数の映像信号を同時に選択することで、第１の映像信号として動画を表示することができる。また、第１の映像信号に、複数の割込み映像信号を合成することもできる。
【００１４】
上記に記載の表示装置において、割込み映像信号には、当該割込み映像信号の表示位置、表示サイズおよび不透明度のうち、少なくとも１の情報を指定するための付加データが付加されており、映像信号処理部は、付加データに基づいて、合成映像信号を生成することが好ましい。
【００１５】
この構成によれば、割込み映像信号を供給する映像供給装置側において、割込み映像信号（割り込み画面）の表示位置、表示サイズおよび不透明度（α値）を指定することができる。
【００１６】
上記に記載の表示装置において、割込み映像信号を供給する映像供給装置は、割り込み映像信号を表示可能なディスプレーを有しており、表示部にて表示される割り込み映像信号の表示位置および表示サイズは、映像供給装置のディスプレー上における割り込み映像信号の表示位置および表示サイズに対応していることが好ましい。
【００１７】
この構成によれば、割込み映像信号を供給する映像供給装置のディスプレー上における割り込み画面の表示位置および表示サイズが、そのまま表示装置に反映されるため、表示位置および表示サイズの指定を直感的且つ容易に行うことができる。
【００１８】
上記に記載の表示装置において、割込み要求信号の受信後、映像供給装置に、割込み許可を示す許可信号を送信する許可信号送信部をさらに備えたことが好ましい。
【００１９】
この構成によれば、割込み映像信号を供給する映像供給装置からの割込み要求信号の受信に伴って、受信メモリーの確保や、画像合成のためのハードウェアの設定など、割込み表示を実現するための準備を行い、その後許可信号を送信することで、割込み映像信号の受信および合成映像信号の生成を遅滞無く行うことができる。
【００２０】
本発明のプロジェクターは、上記に記載の表示装置における各部を備え、表示部は、映像をスクリーン上に投写表示するための投写光学部に相当することを特徴とする。
【００２１】
本発明の表示システムは、上記に記載の表示装置と、第１の映像信号および割込み映像信号をそれぞれ供給する映像供給装置と、から成ることを特徴とする。
【００２２】
これらの構成によれば、第１の映像信号に基づくメイン画面および割込み映像信号に基づく割込み画面の視認性を損ねることなく、メイン画面に対し、ユーザーが指定したウィンドウ単位の割込み画面を割り込み表示させることができるプロジェクターおよび表示システムを提供することができる。
【図面の簡単な説明】
【００２３】
【図１】本発明の一実施形態に係るプロジェクターの制御構成を示すブロック図である。
【図２】コンピューター（ＰＣ−Ｂ）の制御構成を示すブロック図である。
【図３】割込み表示の一例を示す図である。
【図４】割込み画面の移動およびサイズ変更について説明するための図である。
【図５】プロジェクターおよびコンピューター（ＰＣ−Ｂ）による割込み表示処理を示すフローチャートである。
【発明を実施するための形態】
【００２４】
以下、添付した図面を参照して、本発明の一実施形態に係る表示装置、プロジェクター、表示システムおよび割込み表示方法について説明する。図１は、プロジェクター１０の制御構成を示すブロック図である。同図に示すように、プロジェクター１０は、映像ソース端子Ｔ、映像信号選択部１２、割込み信号監視部１３（割込み要求監視部）、映像信号処理部１４、フレームメモリー１４ａ（映像信号記憶部）、制御部１５、記憶部１６、操作パネル１７、リモコン受光器１８および投写光学部２０（表示部）を備えている。
【００２５】
映像ソース端子Ｔは、映像信号を受信するためのものであり、Ｄ−Ｓｕｂ端子Ｔ１、ＵＳＢ端子Ｔ２、Ｓ-ビデオ入力端子Ｔ３、ビデオ入力端子Ｔ４、ＬＡＮ端子Ｔ５などを有している。なお、このうちＤ−Ｓｕｂ端子Ｔ１は、映像ソース４０として、第１のコンピューター４０ａ（ＰＣ−Ａ）と接続され、ＵＳＢ端子Ｔ２は、第２のコンピューター４０ｂ（ＰＣ−Ｂ）と接続されている。本実施形態では、第１のコンピューター４０ａを、メインとなる映像信号（以下、「第１の映像信号」と称する）を供給する装置とし、第２のコンピューター４０ｂを、割込み用の映像信号（以下、「割込み映像信号」と称する）を供給する装置として説明する。
【００２６】
なお、請求項における「映像供給装置」は、第１のコンピューター４０ａおよび第２のコンピューター４０ｂを指し、請求項における「表示システム」は、第１のコンピューター４０ａ、第２のコンピューター４０ｂおよびプロジェクター１０から成る。
【００２７】
また、第１の映像信号を供給する装置としては、ビデオプレーヤーなど、コンピューター以外の外部機器であっても良い。また、映像ソース端子Ｔとしては、Ｃ−ビデオ入力端子、ＢＮＣ端子、ＨＤＭＩ端子、コンピューター入力端子などをさらに設けても良い。
【００２８】
映像信号選択部１２は、映像ソース端子Ｔ１〜Ｔ５が受信する映像信号の中から、少なくとも１の映像信号を選択する。
【００２９】
割込み信号監視部１３は、映像信号選択部１２にて選択された第１の映像信号に対し、割込み映像信号を割り込ませるための割込み要求信号の受信（割込み要求）を監視する。
【００３０】
映像信号処理部１４は、映像ソース端子Ｔが取得した映像信号（画像データ）に対し、後述の記憶部１６に記憶されている画像処理プログラムに基づいて、所定の画像処理を行う。本実施形態では、主に、上記の割込み信号監視部１３が割込み要求信号を受信した場合、第１の映像信号と割込み映像信号とを合成する合成（重畳）処理を行い、合成映像信号を生成する。
【００３１】
制御部１５は、ＣＰＵ（Central  Processing  Unit）を主要部として構成されるものであり、バス１９を介して各部との信号の入出力を行うことによりプロジェクター１０を統括制御する。本実施形態では、主に、第１の映像信号に基づくメイン画面Ｗ０に、割込み映像信号に基づく割込み画面Ｗ２を合成して表示する処理（以下、「割込み表示処理」と称する）を制御する（図３参照）。
【００３２】
記憶部１６は、ＲＯＭ（Read  Only  Memory）などを主要部として構成されるものであり、制御部１５が各種制御を行うための制御プログラムを記憶している。当該制御プログラムには、割込み表示処理を実現するための割込み表示処理プログラムや、映像信号処理部１４において用いられる画像処理プログラムが含まれる。また、記憶部１６には、ＯＳ（Operating  System）なども記憶されている。
【００３３】
操作パネル１７は、プロジェクター１０本体に設けられ、各種操作を行うためのボタン群を有している。ボタン群には、映像ソース（表示対象となる映像信号）を切り替えるための切り替えボタンが含まれる。リモコン受光器１８は、リモコン２９からの操作信号（赤外線信号）を受光する。リモコン２９は、プロジェクター１０本体を遠隔操作するためのものであり、操作パネル１７と同様に、各種ボタン群を有している。
【００３４】
投写光学部２０は、スクリーンＳＣ上に、映像を投写するものであり、光源ランプ２１、液晶ライトバルブ２２、投写レンズ２３、ランプ駆動部２４およびライトバルブ駆動部２５を有している。光源ランプ２１としては、ハロゲンランプ、メタルハライドランプまたは高圧水銀ランプを適用可能である。また、光源ランプ２１に代えて、レーザーやＬＥＤなどの固体光源を用いても良い。液晶ライトバルブ２２は、一対の透明基板間に液晶が封入された液晶パネル等によって構成され、各透明基板の内面には、液晶に対して微小領域毎に駆動電圧を印加可能な透明電極が、画素としてマトリクス状に形成されている。ランプ駆動部２４は、制御部１５からの点灯指令に基づいて、光源ランプ２１を点灯させる。ライトバルブ駆動部２５は、液晶ライトバルブ２２の各画素に、画像データに応じた駆動電圧を印加することにより、各画素の光透過率を設定する。これらの構成により、投写光学部２０では、光源ランプ２１から射出された照明光が、液晶ライトバルブ２２を透過することによって変調される。また、変調された画像光は、不図示の光合成光学系（ダイクロイックプリズムなど）により画素毎に合成され、投写レンズ２３によってスクリーンＳＣ上に投写される。
【００３５】
次に、図２を参照し、コンピューター４０の制御構成について簡単に説明する。ここでは、割込み映像信号を供給する第２のコンピューター４０ｂについて言及する。コンピューター４０（第２のコンピューター４０ｂ）は、インターフェース４１、Ｉ／Ｏ（Input/Output）４２、キーボード４３、マウス４４、制御部４５、ＨＤＤ（Hard  disk  drive）４６およびディスプレー４７を備えている。
【００３６】
Ｉ／Ｏ４２は、入出力ポートであり、インターフェース４１を介してプロジェクター１０と信号の入出力を行う。キーボード４３およびマウス４４は、ユーザーが各種操作を行うための操作手段として機能する。
【００３７】
制御部４５は、ＣＰＵ、ＲＯＭおよびＲＡＭ（Random  Access  Memory）等を含み、バス４９を介して、コンピューター４０内の各部を制御する。ＨＤＤ４６は、割込み表示処理を実現するための割込み通信用アプリケーション５１を有している。つまり、当該割込み通信用アプリケーション５１をインストールすることで、一般的なパーソナルコンピューターを、第２のコンピューター４０ｂとして機能させることができるようになっている。ディスプレー４７は、割込み表示の対象となる割込み画面Ｗ２などを表示する（図３のディスプレー４７ｂ参照）。
【００３８】
次に、図３および図４を参照し、割込み表示の具体例について説明する。図３は、第１のコンピューター４０ａのディスプレー４７ａ上に、第１の映像信号に基づくメイン画面Ｗ０が表示され、プロジェクター１０のスクリーンＳＣ上に、第１のコンピューター４０ａから供給された第１の映像信号に基づくメイン画面Ｗ０が投写表示されている状態を示している。本例において、第１の映像信号は静止画であるものとする。また、第１の映像信号に基づく表示状態を「通常表示」と称する。なお、スクリーンＳＣ上に示した符号Ｄは、投写光学部２０による画像投写領域を指す。
【００３９】
また、図３は、第２のコンピューター４０ｂのディスプレー４７ｂ上に、２つの画面Ｗ１，Ｗ２（ウィンドウ）が表示され、このうち一方の画面Ｗ２が、割込み画面として指定され、スクリーンＳＣ上に反映されている場合を例示している。なお、本例において、割込み画面Ｗ２をスクリーンＳＣ上に反映させるための割込み映像信号は、静止画および動画のいずれであっても良い。当該割込み映像信号に基づく表示状態を、上記の通常表示に対応して「割込み表示」と称する。
【００４０】
このように、割込み表示を行う割込み画面Ｗ２は、スクリーンＳＣ上において、メイン画面Ｗ０上に重畳表示される。また、ディスプレー４７ｂ上における割込み画面Ｗ２の表示位置および表示サイズは、スクリーンＳＣ上における割込み画面Ｗ２の表示位置および表示サイズと対応している。
【００４１】
ここで、プロジェクター１０における割込み表示の実現方法について説明する。プロジェクター１０では、割込み信号監視部１３により割込み要求信号を受信すると、映像信号処理部１４により、メイン画面ＷＯを表示するための第１の映像信号をフレームメモリー１４ａに記憶しておく。また、第２のコンピューター４０ｂからの割込み要求信号の受信に伴い、映像信号選択部１２は、割込み要求信号を受信した映像ソース端子Ｔ（ＵＳＢ端子Ｔ２）からの映像信号を選択する（入力端子を切り替える）。映像信号の選択後、第２のコンピューター４０ｂから割込み映像信号を受信し、フレームメモリー１４ａから読み出した第１の映像信号と、割込み映像信号とを合成して合成映像信号を生成し、投写光学部２０により、当該合成映像信号に基づく映像を投写する。
【００４２】
次に、図４を参照し、割込み画面Ｗ２の表示位置および表示サイズを変更した場合について説明する。図４（ａ）に示すように、第２のコンピューター４０ｂのディスプレー４７ｂ上で、割込み画面Ｗ２が移動されると（図３に示した状態から右側に移動されると）、スクリーンＳＣ上における割込み画面Ｗ２の表示位置も右側に移動する。当該割込み画面Ｗ２の移動は、第２のコンピューター４０ｂのキーボード４３を用いたカーソル操作やマウス４４のドラッグ操作により実現可能である。このように、ディスプレー４７ｂ上における割込み画面Ｗ２の表示位置（ディスプレー４７ｂの画面左上位置を基準とした割込み画面Ｗ２の位置）と、スクリーンＳＣ上における割込み画面Ｗ２の表示位置（投写対象領域Ｄの左上位置を基準とした割込み画面Ｗ２の位置）とは、常に連動して変化する。
【００４３】
一方、図４（ｂ）に示すように、第２のコンピューター４０ｂのディスプレー４７ｂ上で、割込み画面Ｗ２が拡大されると（図３に示した状態から画面右方向および下方向に拡大されると）、スクリーンＳＣ上における割込み画面Ｗ２の表示領域も同様に拡大する。当該割込み画面Ｗ２の拡大も、第２のコンピューター４０ｂのキーボード４３やマウス４４を用いて操作可能である。このように、ディスプレー４７ｂ上における割込み画面Ｗ２の表示サイズ（ディスプレー４７ｂの画面全体に対する割込み画面Ｗ２のサイズ）と、スクリーンＳＣ上における割込み画面Ｗ２の表示サイズ（投写対象領域Ｄに対する割込み画面Ｗ２のサイズ）とは、常に連動して変化する。
【００４４】
次に、図５のフローチャートを参照し、プロジェクター１０およびコンピューター４０（第２のコンピューター４０ｂ）による割込み表示処理の一連の流れについて説明する。ここでは、第１のコンピューター４０ａからＤ−Ｓｕｂ端子Ｔ１を介して供給された第１の映像信号に基づいて、プロジェクター１０側では、既に映像投写が行われている（通常表示が行われている）ものとする。
【００４５】
同図に示すように、まず第２のコンピューター４０ｂにおいて、ユーザーにより割り込み対象となる割込み画面Ｗ２が選択されると（Ｓ０１）、第２のコンピューター４０ｂは、プロジェクター１０に対して割込み要求信号を送信する（Ｓ０２）。プロジェクター１０は、当該割込み要求信号を受信すると（Ｓ０３）、割込み表示の準備を行う（Ｓ０４）。割込み表示の準備としては、具体的に、フレームメモリー１４ａの確保、合成表示処理を行うためのハードウェアの設定、などを行う。
【００４６】
プロジェクター１０は、割込み表示の準備が完了すると、第２のコンピューター４０ｂに対し、許可信号を送信する（Ｓ０５）。プロジェクター１０は、割込み要求信号の受信によって、映像信号選択部１４により、割込み要求信号を受信した映像ソース端子Ｔ（ＵＳＢ端子Ｔ２）からの映像信号を選択する。つまり、当該映像ソース端子Ｔからの映像信号の受信が可能な状態となる。
【００４７】
一方、第２のコンピューター４０ｂは、プロジェクター１０から許可信号を受信すると（Ｓ０６）、選択された割込み画面Ｗ２に表示されている映像信号を、割込み映像信号としてプロジェクター１０に対して送信する（Ｓ０７）。このとき、第２のコンピューター４０ｂは、当該割込み映像信号と共に、割込み画面Ｗ２の表示位置、表示サイズおよび不透明度（α値）を示す付加データを、プロジェクター１０に対して送信する（Ｓ０７）。このように、不透明度に関する情報を付加データに含めることで、スクリーンＳＣ上における割込み画面Ｗ２の半透明表示が可能となる。
【００４８】
なお、不透明度については、第２のコンピューター４０ｂにおける所定の操作（割込み通信用アプリケーション５１の機能を利用した不透明度の選択・変更操作）に応じて、指定可能である。また、指定した不透明度に応じて、ディスプレー４７ｂ上における割込み画面Ｗ２の表示も不透明表示としても良い。
【００４９】
プロジェクター１０は、第２のコンピューター４０ｂから、割込み映像信号および付加データを受信すると（Ｓ０８）、これらに基づいて割込み表示を行う（Ｓ０９）。つまり、Ｄ−Ｓｕｂ端子Ｔ１から入力された第１の映像信号に、ＵＳＢ端子から入力された割込み映像信号を合成して表示する。
【００５０】
その後、第２のコンピューター４０ｂにおいて、ユーザーにより割り込み終了操作が行われたか否かを判別する（Ｓ１０）。割り込み終了操作とは、割込み終了ボタンの押下、または選択されたウィンドウを閉じる操作を指す。当該操作は、割込み通信用アプリケーション５１の機能を利用して行われる。
【００５１】
ユーザーにより割り込み終了操作が行われた場合（Ｓ１０：Ｙｅｓ）、第２のコンピューター４０ｂは、プロジェクター１０に対して割込み終了信号を送信する（Ｓ１１）。また、割り込み終了操作が行われない場合は（Ｓ１０：Ｎｏ）、Ｓ０７以降が繰り返される。なお、割込み映像信号および付加データの送信（Ｓ０７）は、１秒間に１０回以上繰り返されることが好ましい。これにより、動画であっても違和感なく表示することができる。
【００５２】
一方、プロジェクター１０は、第２のコンピューター４０ｂから割込み終了信号を受信すると（Ｓ１２：Ｙｅｓ）、割込み表示処理を終了し、映像信号選択部１４により、割込み前に選択していた映像信号（第１の映像信号）を選択する。これにより、スクリーンＳＣ上から割込み画面Ｗ２が表示となる。また、第２のコンピューター４０ｂから割込み終了信号を受信しない場合は（Ｓ１２：Ｎｏ）、Ｓ０８に戻る。
【００５３】
以上説明したとおり、本実施形態によれば、第１のコンピューター４０ａから供給された第１の映像信号に基づくメイン画面Ｗ０に、第２のコンピューター４０ｂから供給された割込み映像信号に基づく割込み画面Ｗ２を合成して表示するため、割込み画面Ｗ２を縮小することなく、割込み表示させることができる。また、割込み映像信号は、ウィンドウ単位で指定されるため、割込み画面Ｗ２がメイン画面Ｗ０より大きくなることは考え難く、メイン画面Ｗ０が割込み画面Ｗ２に覆われて見えなくなってしまうことがない。さらに、第２のコンピューター４０ｂ側では、そのディスプレー４７ｂ上に複数の画面Ｗ１，Ｗ２を表示している状態でも（図３参照）、他の画面（本実施形態では、画面Ｗ１）を閉じることなく、ユーザーが所望する画面（本実施形態では、割込み画面Ｗ２）のみを割り込ませることができるため、利便性が良い。
【００５４】
また、第２のコンピューター４０ｂ側において、割込み画面Ｗ２の表示位置、表示サイズおよび不透明度を指定することができるため、ユーザーの所望する表示形態の割込み表示を実現可能である。また、第２のコンピューター４０ｂのディスプレー４７ｂ上における割込み画面Ｗ２の表示位置および表示サイズが、そのままスクリーンＳＣ上に反映されるため、表示位置や表示サイズの指定を直感的且つ容易に行うことができる。
【００５５】
また、第２のコンピューター４０ｂは、割込み対象となる割込み映像信号の送信前に、割込み要求信号を送信するため、プロジェクター１０側は、フレームメモリー４２ａの確保や、画像合成のためのハードウェアの設定など、割込み表示を実現するための各種準備を行うことができる。また、プロジェクター１０は、割込み要求信号の受信後、映像信号選択部１４により割込み映像信号を選択するため、当該割込み映像信号を受信可能とすることができる。
【００５６】
なお、上記の実施形態では、映像信号および付加データの送信（Ｓ０７）を、１秒間に１０回以上繰り返すものとしたが、付加データについては、変更が生じた場合のみ送信するようにしても良い。つまり、割込み画面Ｗ２の表示位置、表示サイズおよび不透明度のいずれかが変更されたときのみ、付加データを送信するようにしても良い。
【００５７】
また、上記の実施形態では、割込み表示の準備（Ｓ０４）が完了すると、第２のコンピューター４０ｂに対して許可信号を送信（Ｓ０５）するものとしたが、必ずしも許可信号を送信する必要はない。つまり、ＵＳＢ接続並びに無線および有線ＬＡＮなどのデジタル的な接続の場合は許可信号を送信すればよく、ＲＧＢ接続やビデオ接続などのアナログ的な接続の場合は許可信号を送信しなくても良い。
【００５８】
また、上記の実施形態において、映像信号選択部１２は、映像信号を１つだけ選択可能であるものとしたが、複数の映像信号を同時に選択可能としても良い。例えば、第１の映像信号と第２の映像信号との２つを同時に選択可能とすれば、メイン画面Ｗ０を動かす（メイン画面Ｗ０として動画を表示する）ことができる。
【００５９】
また、上記の実施形態では、第２のコンピューター４０ｂにおいて選択された１の割込み画面Ｗ２について割込み表示を行うものとしたが、第２のコンピューター４０ｂにおいて複数の割込み画面Ｗ２を選択可能としても良い。また、１のプロジェクター１０に対し、複数台のコンピューターから割込み要求信号を送信可能とし、複数の割込み画面Ｗ２を割り込み表示可能としても良い。つまり、第１のコンピューター４０ａから供給された映像信号に基づくメイン画面Ｗ０に重畳して、第２のコンピューター４０から供給された映像信号に基づく割込み画面Ｗ２を表示し、さらにその上に、第３のコンピューター４０から供給された映像信号に基づく割込み画面Ｗ２を表示する、などの表示形態としても良い。この場合、割り込み信号の受信順序に基づいて、重畳する順序を決定することが好ましい。また、これらの場合も、映像信号選択部１２は、複数の映像信号を同時に選択可能であることが前提である。
【００６０】
また、プロジェクター１０側に、割込み表示をブロックする機能を搭載するようにしても良い。また、当該ブロック機能を、第１のコンピューター４０ａ（メインとなる第１の映像信号を供給する装置）側に設けても良い。これらの構成によれば、不本意な割込み表示を防止することができる。
【００６１】
また、上記の実施形態では、ディスプレー４７ｂ上における割込み画面Ｗ２の表示位置、表示サイズおよび不透明度が、そのままスクリーンＳＣ上における割込み画面Ｗ２に反映されるものとしたが、ディスプレー４７ｂ上では、表示位置、表示サイズおよび不透明度の指定のみを可能とし、割込み画面Ｗ２の表示自体は変わらないようにしても良い。言い換えれば、ディスプレー４７ｂ上における割込み画面Ｗ２の表示を変化させることなく、スクリーンＳＣ上における割込み画面Ｗ２の表示位置、表示サイズおよび不透明度を変化させ得るようにしても良い。この構成によれば、第２のコンピューター４０ｂ側で、別途作業をしたい場合に便利である。
【００６２】
また、上記の実施形態に示したプロジェクター１０および第２のコンピューター４０ｂの各構成要素をプログラムとして提供することが可能である。また、そのプログラムを各種記録媒体（ＣＤ−ＲＯＭ、フラッシュメモリ等）に格納して提供することも可能である。すなわち、コンピューターを、プロジェクター１０および第２のコンピューター４０ｂの各構成要素として機能させるためのプログラム、およびそれを記録した記録媒体も、本発明の権利範囲に含まれるものである。
【００６３】
また、上記の実施形態では、プロジェクター１０の表示方式として、透過型液晶表示方式を採用しているが、反射型液晶表示方式、ＣＲＴ表示方式やライトスイッチ表示方式（マイクロミラーデバイス方式）など、プロジェクター１０の表示原理は問わない。また、プロジェクター１０以外にも、テレビジョン受像機など、他の表示装置に本発明を適用可能である。その他、本発明の要旨を逸脱しない範囲で、適宜変更が可能である。
【符号の説明】
【００６４】
１０…プロジェクター  １２…映像信号選択部  １３…割込み信号監視部  １４…映像信号処理部  １５…制御部  １６…記憶部  １７…操作パネル  １８…リモコン受光器  ２０…投写光学部  ４０…映像ソース  ４０ａ…第１のコンピューター  ４０ｂ…第２のコンピューター  ４７…ディスプレー  Ｄ…投写対象領域  ＳＣ…スクリーン  Ｔ…映像ソース端子  Ｗ０…メイン画面  Ｗ２…割込み画面
【図１】
2010220144.tif 000003
【図２】
2010220144.tif 000004
【図３】
2010220144.tif 000005
【図４】
2010220144.tif 000006
【図５】
2010220144.tif 000007